(57)【要約】【課題】スクリーン上の投影画像への書き込みを取得して保存する。【解決手段】プロジェクタ装置１０であって、外部のＰＣ３０から入力された投影画像をスクリーン４０上に投影する投影部１００と、スクリーン４０を撮像し、撮像画像を生成する撮像部１４０と、撮像部１４０により生成された撮像画像に基づいて、スクリーン４０上に直接書き込まれた書き込みを投影画像に対応付けて記憶する書込記憶部１６０とを備える。プロジェクタ装置１０は、書込記憶部１６０に記憶された書き込みを再生し、投影部１００によりスクリーン４０上に投影する書込再生部１８０を更に備えてもよい。【選択図】図１
2005114996.tif 000002
【特許請求の範囲】
【請求項１】
外部から入力された投影画像をスクリーン上に投影する投影部と、
前記スクリーンを撮像し、撮像画像を生成する撮像部と、
前記撮像部により生成された前記撮像画像に基づいて、前記スクリーン上に直接書き込まれた書き込みを前記投影画像に対応付けて記憶する書込記憶部と
を備えるプロジェクタ装置。
【請求項２】
前記書込記憶部に記憶された前記書き込みを再生し、前記投影部により前記スクリーン上に投影する書込再生部を更に備える請求項１に記載のプロジェクタ装置。
【請求項３】
前記撮像部は、前記スクリーンを順次撮像し、
前記書込記憶部は、撮像された順序を前記書き込みに対応付けて記憶し、
前記書込再生部は、前記順序で前記書き込みを再生する請求項２に記載のプロジェクタ装置。
【請求項４】
音声を前記書込記憶部に記憶された前記書き込みに対応付けて録音する録音部と、
前記録音部により録音された音声を再生する音声再生部とを更に備える請求項１に記載のプロジェクタ装置。
【請求項５】
前記書込記憶部に記憶された前記書き込みを外部に送信する外部送信部を更に備える請求項１に記載のプロジェクタ装置。
【請求項６】
前記スクリーン上に前記投影部により宛先書込領域を表示する宛先書込領域表示部を更に備え、
前記外部送信部は、前記宛先書込領域に書き込まれた前記宛先へ、前記書込記憶部に記憶された前記書き込みを送信する請求項１に記載のプロジェクタ装置。
【請求項７】
他のスクリーンに前記投影画像を投影する他のプロジェクタ装置と通信する通信部を更に備え、
前記通信部は、前記他のスクリーン上に直接書き込まれ、前記他のプロジェクタ装置において前記書込記憶部に記憶された前記書き込みを取得して、前記書き込みを前記投影部により前記スクリーン上に投影する請求項１に記載のプロジェクタ装置。
【請求項８】
前記書込記憶部に記憶された前記書き込みを印刷する書込印刷部を更に備える請求項１に記載のプロジェクタ装置。
【請求項９】
前記撮像部は、前記投影部が前記投影画像を切り替える場合に、前記スクリーンを撮像する請求項１に記載のプロジェクタ装置。
【請求項１０】
複数の前記投影画像のいずれかが選択されたことを示すしおりを、前記選択された投影画像に対応付けて記憶すると共に、前記しおりに対応付けられた前記投影画像を再生する要求があった場合に、前記しおりに対応付けられた前記投影画像を再生するしおり部を更に備える請求項９に記載のプロジェクタ装置。
【請求項１１】
投影部は、光源、前記光源を用いて前記投影画像から投影光を生成する投影光生成部、および、前記投影画像生成部により生成された前記投影光を前記スクリーン上に投影する光学系を有し、
前記撮像部は、前記光学系を通って入力された前記スクリーンの像を撮像する請求項１に記載のプロジェクタ装置。
【請求項１２】
外部から入力された投影画像をスクリーン上に投影し、
前記スクリーンを撮像して撮像画像を生成し、
前記撮像画像に基づいて、前記スクリーン上に直接書き込まれた書き込みを前記投影画像に対応付けて書込記憶部に記憶する
書き込み取得方法。
【発明の詳細な説明】
【技術分野】
【０００１】
本発明は、プロジェクタ装置および書き込み取得方法に関する。
【背景技術】
【０００２】
従来、投影画像をスクリーンに投影するプロジェクタにおいて、当該プロジェクタと通信可能な外部入力装置から入力された画像を、投影画像に付加して投影するプロジェクタが知られている（例えば、特許文献１）。
【特許文献１】特開２００１−３５６４０５号公報（第９図）
【発明の開示】
【発明が解決しようとする課題】
【０００３】
しかしながら、プロジェクタの利用者は、スクリーンに投影されている投影画像に対して、スクリーン上で直接書き込みをする場合がある。この場合に、上記プロジェクタでは、当該書き込みを直接取り込むことができない。上記プロジェクタにおいてこの書き込みを取り込むためには、当該書き込みと同じ書き込みを再度、外部入力装置において手入力するという手間がかかる。
【課題を解決するための手段】
【０００４】
上記課題を解決するために、本発明の第１の形態においては、プロジェクタ装置であって、外部から入力された投影画像をスクリーン上に投影する投影部と、スクリーンを撮像し、撮像画像を生成する撮像部と、撮像部により生成された撮像画像に基づいて、スクリーン上に直接書き込まれた書き込みを投影画像に対応付けて記憶する書込記憶部とを備える。これにより、スクリーン上に投影されている投影画像に対して、スクリーン上に直接書き込みをした場合に、この書き込みを取り込んで保存することができる。
【０００５】
上記プロジェクタ装置は、書込記憶部に記憶された書き込みを再生し、投影部によりスクリーン上に投影する書込再生部を更に備えてもよい。これにより、取り込まれた書き込みを後から見ることができる。
【０００６】
上記プロジェクタ装置において、撮像部は、スクリーンを順次撮像し、書込記憶部は、撮像された順序を書き込みに対応付けて記憶し、書込再生部は、当該順序で書き込みを再生してもよい。これにより、書き込まれた順序で書き込みを再生することができる。
【０００７】
上記プロジェクタ装置は、音声を書込記憶部に記憶された書き込みに対応付けて録音する録音部と、録音部により録音された音声を再生する音声再生部とを更に備えてもよい。これにより、当該書き込みに対する音声による説明を後から聴くことができる。
【０００８】
上記プロジェクタ装置は、書込記憶部に記憶された書き込みを外部に送信する外部送信部を更に備えてもよい。これにより、取り込まれた書き込みを外部で加工したり再生したりすることができる。
【０００９】
上記プロジェクタ装置は、スクリーン上に投影部により宛先書込領域を表示する宛先書込領域表示部を更に備え、外部送信部は、宛先書込領域に書き込まれた宛先へ、記憶部に記憶された書き込みを送信してもよい。これにより、キーボードやリモコンから宛先を入力することなく、当該宛先に書き込みを送信することができる。
【００１０】
上記プロジェクタ装置は、他のスクリーンに投影画像を投影する他のプロジェクタ装置と通信する通信部を更に備え、通信部は、他のスクリーン上に直接書き込まれ、他のプロジェクタ装置において書込記憶部に記憶された書き込みを取得して、書き込みを投影部によりスクリーン上に投影してもよい。これにより、他のスクリーン上への書き込みを当該スクリーン上に反映させて投影することができる。
【００１１】
上記プロジェクタ装置において、書込記憶部に記憶された書き込みを印刷する書込印刷部を更に備えてもよい。これにより、書き込みを印刷物にて確認することができる。
【００１２】
上記プロジェクタ装置において、撮像部は、投影部が投影画像を切り替える場合に、スクリーンを撮像してもよい。これにより、投影画像について説明が終了した時点でのこの投影画像に対する書き込みを取り込むことができる。
【００１３】
上記プロジェクタ装置は、複数の投影画像のいずれかが選択されたことを示すしおりを、選択された投影画像に対応付けて記憶すると共に、しおりに対応付けられた投影画像を再生する要求があった場合に、しおりに対応付けられた投影画像を再生するしおり部を更に備えてもよい。これにより、投影画像を投影した順序に関わらず、しおりを付けた投影画像およびその投影画像への書き込みを再生することができる。
【００１４】
上記プロジェクタ装置において、投影部は、光源、光源を用いて投影画像から投影光を生成する投影光生成部、および、投影画像生成部により生成された投影光をスクリーン上に投影する光学系を有し、撮像部は、光学系を通って入力されたスクリーンの像を撮像してもよい。これにより、投影部および撮像部をそれぞれ独立に焦点合わせをすることなく投影画像をスクリーン上に投影し、かつ、スクリーンを撮像することができる。さらに、光学系の部品点数を少なくすることができる。
【００１５】
本発明の第２の形態においては、書き込み取得方法であって、外部から入力された投影画像をスクリーン上に投影し、スクリーンを撮像して撮像画像を生成し、撮像画像に基づいて、スクリーン上に直接書き込まれた書き込みを投影画像に対応付けて書込記憶部に記憶する。これにより、第１の形態と同様の効果を得ることができる。
【００１６】
なお、上記の発明の概要は、本発明の必要な特徴の全てを列挙したものではなく、これらの特徴群のサブコンビネーションもまた、発明となりうる。
【発明を実施するための最良の形態】
【００１７】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１８】
図１は、本発明の実施形態に係るプロジェクタ装置１０を用いたプロジェクタシステム６０を示す。プロジェクタシステム６０は、プロジェクタ装置１０、プロジェクタ装置１０に投影画像を入力するＰＣ（パーソナルコンピュータ）３０、プロジェクタ装置１０からの投影画像を表示するスクリーン４０、ＰＣ３０とネットワーク等を用いて通信可能な他のＰＣ７０、他のＰＣ７０と通信可能な他のプロジェクタ装置２０、および、他のプロジェクタ装置２０からの投影画像を受ける他のスクリーン５０を有する。利用者４４は、筆記具４２を用いてスクリーン４０に直接書き込みをする。スクリーン４０の例は、スチール製のホワイトボード、裏面がすりガラスのガラス板、白紙または白壁である。また、筆記具４２の例は水性ペンである。
【００１９】
本発明の実施形態に係るプロジェクタ装置１０は、スクリーン４０を撮像することにより、利用者４４により直接スクリーン４０に書き込まれた書き込みを取り込む。また、プロジェクタ装置１０は、取り込んだ書き込みを投影画像と共に他のプロジェクタ装置２０に送信し、他のプロジェクタ装置２０は、受信した書き込みを投影画像に重畳して他のスクリーン５０に投影する。
【００２０】
図２は、プロジェクタ装置１０およびＰＣ３０の機能を示すブロック図である。プロジェクタ装置１０は、ＰＣ３０から入力された投影画像をスクリーン４０上に投影する投影部１００と、スクリーン４０を撮像し、撮像画像を生成する撮像部１４０とを備える。
【００２１】
ＰＣ３０は、撮像部１４０により生成された撮像画像に基づいて、スクリーン４０上に直接書き込まれた書き込みを投影画像に対応付けて記憶する書込記憶部１６０と、書込記憶部１６０に記憶された書き込みを再生し、投影部１００によりスクリーン４０上に投影する書込再生部１８０と、書込記憶部１６０に記憶された書き込みを印刷する書込印刷部３００と、他のＰＣ７０と通信する通信部２８０と、スクリーン４０上に投影部１００により宛先書込領域を表示する宛先書込領域表示部と２６０を備える。
【００２２】
投影部１００は、光源、この光源からの光を透過または遮断する液晶シャッタ、この液晶シャッタを制御して投影画像から投影光を生成する投影光生成部１２０、および、投影光生成部１２０により生成された投影光をスクリーン４０上に投影する光学系１３０を有する。図２に示す投影部１００はカラー画像を投影すべく、光源として、赤色画像用、緑色画像用および青色画像用にそれぞれ白色光を発するＲ光源１１２、Ｇ光源１１４およびＢ光源１１６を有する。投影部１００は、液晶シャッタとして、Ｒ光源１１２、Ｇ光源１１４およびＢ光源１１６の前面にそれぞれ配され、複数の画素に区切られ、赤色フィルタが貼り付けられたＲ液晶シャッタ１２２、緑色フィルタが貼り付けられたＧ液晶シャッタ１２４、および、青色フィルタが貼り付けられたＢ液晶シャッタ１２６を有する。投影部１００はさらに、結合プリズム１２８を有する。投影光生成部１２０が、ＰＣ３０から入力された投影画像に基づいて、これらＲ液晶シャッタ１２２、Ｇ液晶シャッタ１２４およびＢ液晶シャッタ１２６を画素毎に開閉することにより、赤色画像、緑色画像および青色画像の投影光を生成し、結合プリズム１２８がこれら赤色画像、緑色画像および青色画像を結合してカラーの投影光を生成する。光学系１３０は、ハーフミラー１３２および投影レンズ１３４を有し、結合プリズム１２８で結合された投射光を、ハーフミラー１３２を透過させて、投影レンズ１３４によりスクリーン４０上に結像させる。これにより、プロジェクタ装置１０は、ＰＣ３０から入力されたカラーの投影画像を、スクリーン４０上に投射して表示することができる。
【００２３】
撮像部１４０は、ＣＣＤカメラ１４２、および、このＣＣＤカメラ１４２で撮像された撮像画像を電子的に処理し、書込記憶部１６０に書き込む撮像画像処理部１４４を有する。ＣＣＤカメラ１４２は、光学系１３０の投影レンズ１３４を通って、ハーフミラー１３２により反射されたスクリーン４０の像を撮像する。ハーフミラー１３２からＣＣＤカメラ１４２までの距離は、ハーフミラー１３２から各光源までの距離と略等しくなるように、ＣＣＤカメラ１３２が配されている。ＣＣＤカメラ１４２には赤色の光を検知するＲ画素、緑色の光を検知するＧ画素、および、青色の光を検知するＢ画素の３種類の画素が多数配されており、カラーの画像を撮像することができる。ＣＣＤカメラ１４２がスクリーン４０を撮像する場合に、投影部１００の光学系１３０を用いることにより、投影部１００および撮像部１４０をそれぞれ独立に焦点合わせをすることなく投影画像をスクリーン４０上に投影し、かつ、スクリーン４０を撮像することができる。さらに、投影部１００および撮像部１４０にそれぞれ別個の光学系を設ける必要がなく、部品点数を少なくすることができる。なお、ハーフミラー１３２またはこれに代えて鏡を移動可能に配し、投影部１００が投影画像をスクリーン４０上に投影する場合にハーフミラー１３２または鏡が投影光の光路から退避し、撮像部１４０がスクリーン４０を撮像する場合にハーフミラー１３２または鏡が光路に進出するようにしてもよい。
【００２４】
書込再生部１８０は、利用者４４からの要求に応じて書込記憶部１６０に記憶された書き込みを読み出し、投影光生成部１２０へ受け渡すことにより、この書き込みを再生してスクリーン４０上に投影する。本実施形態において、書込記憶部１６０は、書き込みに対応付けて書き込みの対象となった投影画像を記憶しており、書込再生部１８０は、書込記憶部１６０から読み出した書き込みおよび投影画像を重畳して新たな投影画像とし、投影光生成部１２０へ受け渡す。これにより、取り込まれた書き込み付きの投影画像を後から見ることができる。
【００２５】
通信部２８０は、書込記憶部１６０に記憶された書き込みをこの書き込みの対象となった投影画像と共に、他のＰＣ７０へ送信する。また、通信部２８０は、他のスクリーン５０上に直接書き込まれ、他のプロジェクタ装置２０における書込記憶部１６０に記憶された書き込みを他のＰＣ７０および当該ＰＣ３０を通じて取得して、書き込みを投影部１００によりスクリーン４０上に投影する。これにより、他のスクリーン５０上への書き込みを当該スクリーン４０上に反映させて投影することができる。これにより、遠隔地を結んで会議をする場合に、単一の会議室で単体のプロジェクタが用いられている会議と同様の臨場感で会議を進めることができる。
【００２６】
プロジェクタ装置１０は、複数の投影画像のいずれかが利用者４４により選択されたことを示すしおりを、選択された投影画像に対応付けて記憶すると共に、しおりに対応付けられた投影画像を再生する要求があった場合に、しおりに対応付けられた投影画像を再生するしおり部３２０を更に備える。これにより、プロジェクタ装置１０は、投影画像を投影した順序に関わらず、しおりを付けた投影画像およびその投影画像への書き込みを再生することができる。しおりは、プロジェクタ装置１０を遠隔操作するリモコンのボタンにより入力されてもよいし、スクリーン４０の特定の箇所に筆記具４２でマークがつけられることにより入力されてもよい。
【００２７】
ＰＣ３０は、マイク２０２により取得された音声を、書込記憶部１６０に記憶された書き込みに対応付けて録音する録音部２００と、この録音部２００により録音された音声をスピーカ２２２により再生する音声再生部２２０を更に備える。これにより、これにより、当該書き込みに対する音声による説明を後から聴くことができる。さらに、投影画像と書き込みを重畳して再生し、これと同期して音声も再生することにより、通常のビデオカメラとして用いることができる。
【００２８】
図３（ａ）から図３（ｃ）は、スクリーン４０に投影される投影画像およびこの投影画像に対してスクリーン４０上に直接書き込まれた書き込みの一例を示す。図３（ａ）は、プロジェクタ装置１０がＰＣ３０から入力されてスクリーン４０に投影している投影画像を示す。図３（ａ）に示す例において、プロジェクタ装置１０の投影部１００は、投影画像として三段の文字列４００をスクリーン４０に投影している。図３（ｂ）は、スクリーン４０に投影されている三段の文字列４００における最下段の文字列を、利用者４４が筆記具４２を用いて、直接スクリーン４０上に丸で囲う書き込み４１０をした状態を示す。図３（ｃ）は、図３（ｂ）の状態からさらに、利用者４４が筆記具４２を用いて、直接スクリーン４０上に矢印の書き込み４１２、４１４をした状態を示す。
【００２９】
図４は、書込記憶部１６０に記憶される情報を、上記図３（ａ）から図３（ｃ）の投影画像および書き込みを一例として示す。なお、図４において、説明の簡略化のため文字列を白抜きの長方形として示した。図４に示すように、書込記憶部１６０は、撮像部１４０により撮像された撮像画像に基づいて、スクリーン４０上に直接書き込まれた書き込みを、その書き込みの対象となった投影画像に対応付けて記憶する。この場合に、書込記憶部１６０は、書き込みに対してＩＤを割り当て、このＩＤに対応付けて書き込みを記憶する。さらに、書込記憶部１６０は、しおり部３２０からしおりの入力があった場合に、しおりのデータフィールドにマークをする。
【００３０】
図５は、プロジェクタ装置１０およびＰＣ３０がスクリーン４０上への書き込みを取り込んで記憶する動作を示すフローチャートである。このフローチャートは、ＰＣ３０からプロジェクタ装置１０へ投影画像の入力があった場合に開始される。
【００３１】
ＰＣ３０から投影画像の入力があった場合に、プロジェクタ装置１０の投影部１００は、投影光を生成して、スクリーン４０上に投影する（Ｓ１１０）。撮像部１４０の撮像画像処理部１４４は、ＰＣ３０から投影画像の切り替えが要求されたか否かを判断する（Ｓ１２０）。撮像画像処理部１４４はさらに、ＰＣ３０から投影画像の切り替えが要求されていない場合に（Ｓ１２０：Ｎｏ）、所定時間を経過したか否かを判断する（Ｓ１３０）。所定時間は、例えば数秒から数十秒に設定され、所定時間を撮像画像処理部１４４が投影画像の投影に先立って記憶しておく。ステップＳ１３０において所定時間が経過していない場合に（Ｓ１３０：Ｎｏ）、投影部１００は所定時間が経過するまで投影画像を投影し続ける（Ｓ１１０に戻る）。
【００３２】
ステップＳ１３０において所定時間が経過した場合に（Ｓ１３０：Ｙｅｓ）、撮像部１４０は、ＣＣＤカメラ１４２を用いてスクリーン４０を撮像して、撮像画像を取得する（Ｓ２００）。ステップＳ２００については、図６において詳述する。ステップＳ２００の後、プロジェクタ装置１０は、投影を終了すべき旨が外部から要求されたか否かを判断し（Ｓ１４０）、投影が終了しない場合に（Ｓ１４０：Ｎｏ）、ステップＳ１１０に戻る。
【００３３】
ステップＳ１２０において投影画像を切り替える要求があった場合に（Ｓ１２０：Ｙｅｓ）、撮像部１４０は、投影画像の切り替えに先立って、ＣＣＤカメラ１４２を用いてスクリーン４０を撮像し、撮像画像を取得する（Ｓ２１０）。ステップＳ２１０の後、投影光生成部１２０は、投影画像を切り替え（Ｓ１５０）、ステップＳ１１０に戻り切り替え後の投影画像を投影する。投影部１００が投影画像を切り替える場合に、撮像部１４０がスクリーン４０を撮像することにより、投影画像について説明が終了した時点でのこの投影画像に対する書き込みを取り込むことができる。
【００３４】
ステップＳ１４０においてプロジェクタ装置１０の投影を終了すべき旨が外部から要求された場合（Ｓ１４０：Ｙｅｓ）に、本フローチャートを終了する。
【００３５】
図６は、図５におけるステップＳ２００、Ｓ２１０の動作を示すフローチャートである。ステップＳ２００、Ｓ２１０においてスクリーンを撮像する場合に、まず、撮像部１４０の撮像画像処理部１４４は、投影光生成部１２０から現在の投影画像を電子データとして取得し、書込記憶部１６０に記憶する（Ｓ２３０）。例えば、図３（ａ）に投影画像が投影されている場合に、撮像画像処理部１４４は、図４に示すようにこの投影画像にＩＤ１を割り当てて書込記憶部１６０に記憶する。
【００３６】
次に、投影光生成部１２０は、Ｒ液晶シャッタ１２２、Ｇ液晶シャッタ１２４およびＢ液晶シャッタ１２６における全ての画素のシャッタを開く（Ｓ２３０）。これにより、投影部１００において白色光のストロボが生成され、スクリーン４０に照射される。次に撮像部１４０が、ＣＣＤカメラ１４２によりスクリーン４０を撮像する（Ｓ２４０）。この場合に、シャッタが全開となっているのでスクリーン４０には投影画像は投影されておらず、ＣＣＤカメラ１４２は、スクリーン４０に直接書き込まれた書き込みを撮像画像として取得する。例えば、図３（ｂ）に示すように、三段の文字列４００の最下段に書き込み４１０がある場合に、投影部１００が白色光を生成してスクリーン４０に照射することにより、一旦、投影画像である三段の文字列４００が消えて、ＣＣＤカメラ１４２は書き込み４１０をスクリーン４０の撮像画像として取得する。
【００３７】
撮像画像処理部１４４は、ＣＣＤカメラ１４２により撮像された撮像画像を、投影画像への書き込みとして、書込記憶部１６０に記憶する（Ｓ２５０）。上述の例において、撮像画像処理部１４４は、図３（ｂ）に示す書き込み４１０を、図４に示すようにＩＤ１に対応付けて記憶する。以上により、本フローチャートを終了する。これにより、スクリーン４０上に投影されている投影画像に対して、スクリーン４０上に直接書き込みをした場合に、この書き込みを取り込んで保存することができる。
【００３８】
図５において説明したように、撮像部１４０は、スクリーン４０を順次撮像し、書込記憶部１６０は、撮像された順序を書き込みに対応付けて記憶する。さらに、書込再生部１８０は、当該順序で書き込みを再生する。図３（ｂ）および図３（ｃ）に示すように、書き込み４１０が書き込まれた後に書き込み４１２および４１４が書き込まれた場合に、撮像部１４０はこれらの書き込みを順次取得し、図４に示すようにＩＤを順に割り当てて書込記憶部１６０に記憶する。書込記憶部１６０は、このＩＤ番号順に書き込みを再生することにより、スクリーン４０に書き込まれた順序で当該書き込みを再生することができる。
【００３９】
図７（ａ）は宛先書込領域表示部２６０が表示する宛先書込領域に宛先が書き込まれた例を示し、図７（ｂ）は当該宛先へ送信される電子メールの例を示す。図７（ａ）に示すように、宛先書込領域表示部２６０は、例えばプロジェクタ装置１０のリモコンのボタンが利用者４４により押下された場合に、または、利用者４４によりスクリーン４０の特定の箇所に筆記具４２でマークがつけられた場合に、スクリーン４０に書き込まれた書き込みを送信する宛先を書き込む宛先書込領域２６２を、スクリーン４０の上部に表示する。図７（ａ）に示す例において、宛先書込領域表示部２６０は、宛先書込領域２６２として、宛先を示す「ＴＯ」およびその右に四角の枠を投影部１００によりスクリーン４０へ投影する。
【００４０】
図７（ｂ）に示すように、撮像部１４０は、スクリーン４０において四角の枠に筆記具４２により直接書き込まれた書き込みを、ＯＣＲ等によりアルファベット文字として文字認識し、電子メールの宛先として通信部２８０へ受け渡す。通信部２８０は、宛先書込領域２６２に書き込まれた宛先へ、書込記憶部１６０に記憶された書き込みを送信する。図７（ｂ）に示す例において、通信部２８０は、宛先書込領域２６２が表示されたときに投影されていた投影画像およびその投影画像への書き込み（図４におけるＩＤ２で特定される）を、添付ファイルとして、撮像部１４０により読み取られた宛先へ送信する。これにより、キーボードやリモコンから宛先を入力することなく、当該宛先に書き込みを送信することができる。なお、通信部２８０は、本発明における外部送信部の一例である。
【００４１】
以上、本実施形態によれば、スクリーン４０上に投影されている投影画像に対して、スクリーン４０上に直接書き込みをした場合に、この書き込みを取り込んで保存し、後から再生して当該書き込みを見ることができる。
【００４２】
なお、上記実施形態において、プロジェクタ装置１０はＰＣ３０と通信することにより投影画像を入力したが、投影画像の入力方法はこれに限られない。他の例として、プロジェクタ装置１０に読書き可能な記憶媒体を装着し、この記憶媒体から投影画像を取得し、また、書き込みを記憶させてもよい。
【００４３】
また、上記実施形態において、書込記憶部１６０、書込再生部１８０、録音部２００、録音再生部２２０、宛先書込領域表示部２６０、通信部２８０および書込印刷部３００はＰＣ３０に設けられている。しかしながら、これらの各機能部がプロジェクタ装置１０に内蔵されていてもよい。
【００４４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００４５】
【図１】本発明の実施形態に係るプロジェクタ装置１０を用いたプロジェクタシステム６０を示す。
【図２】プロジェクタ装置１０およびＰＣ３０の機能を示すブロック図である。
【図３】（ａ）から（ｃ）は、スクリーン４０に投影される投影画像およびこの投影画像に対してスクリーン４０上に直接書き込まれた書き込みの一例を示す。
【図４】書込記憶部１６０に記憶される情報を、上記図３（ａ）から図３（ｃ）の投影画像および書き込みを一例として示す。
【図５】プロジェクタ装置１０がスクリーン４０上への書き込みを取り込んで記憶する動作を示すフローチャートである。
【図６】図５におけるステップＳ２００、Ｓ２１０の動作を示すフローチャートである。
【図７】（ａ）は宛先書込領域表示部２６０が表示する宛先書込領域に宛先が書き込まれた例を示し、（ｂ）は当該宛先へ送信される電子メールの例を示す。
【符号の説明】
【００４６】
１０  プロジェクタ装置、２０  他のプロジェクタ装置、３０  ＰＣ、４０  スクリーン、４２  筆記具、４４  利用者、５０  他のスクリーン、６０  プロジェクタシステム、７０  他のＰＣ、１００  投影部、１１２  Ｒ光源、１１４  Ｇ光源、１１６  Ｂ光源、１２０  投影光生成部、１２２  Ｒ液晶シャッタ、１２４  Ｇ液晶シャッタ、１２６  Ｂ液晶シャッタ、１２８  結合プリズム、１３０  光学系、１３２  ハーフミラー、１３４  投影レンズ、１４０  撮像部、１４２  ＣＣＤカメラ、１４４  撮像画像処理部、１６０  書込記憶部、１８０  書込再生部、２００  録音部、２０２  マイク、２２０  音声再生部、２２２  スピーカ、２６０  宛先書込領域表示部、２６２  宛先書込領域、２８０  通信部、３００  書込印刷部、３２０  しおり部、４００  投影画像、４１０  書き込み、４１２  書き込み、４１４  書き込み
【図１】
2005114996.tif 000003
【図２】
2005114996.tif 000004
【図３】
2005114996.tif 000005
【図４】
2005114996.tif 000006
【図５】
2005114996.tif 000007
【図６】
2005114996.tif 000008
【図７】
2005114996.tif 000009